(57)【特許請求の範囲】
【請求項１】
二つの取付部と、
各取付部に一端が設けられる取付軸であってその他端が自由端である取付軸と、
中心部と、該中心部から単一方向又は複数の方向へ延伸する延伸プレートを有し、該中心部に取付軸を設置するための貫通孔が形成された複数のクッション部材と、
該延伸プレートの端末の両側に夫々設けられる複数のクッション部材を連結するＬ字形固定プレートである安定部材と、を備え、
各取付軸には、互いに隣り合うクッション部材の間に配置される緩衝ブロックと、取付軸の両側に夫々配置される緩衝ブロックとが設けられ、
前記互いに隣り合うクッション部材の間に配置される緩衝ブロック、および各取付軸の前記両側に夫々設けられる緩衝ブロックのうち前記一端側に設けられる緩衝ブロックには、夫々、ねじ孔ではない該取付軸を挿通する貫通孔が形成されており、
各取付軸の自由端にねじ山が形成され、該取付軸の前記両側に夫々設けられる緩衝ブロックのうち前記自由端側に設けられ且つ該ねじ山に対応する緩衝ブロックに、ねじ孔が形成されることにより、該緩衝ブロックが該取付軸に螺設され、
各クッション部材の延伸プレートの端末に係合孔が形成され、該端末の両側に設けられた安定部材に該クッション部材の係合孔に対応する係合孔が夫々形成され、該各安定部材の係合孔と前記延伸プレートの係合孔に係合部材が挿設されることを特徴とする地震エネルギーの吸収装置。
【請求項２】
取付軸は該取付軸が設けられる各取付部に一本ずつ設けられ、各クッション部材の中心部に形成される前記貫通孔は、前記一本の取付軸に対応して該中心部の中央に１つ設けられていることを特徴とする請求項１に記載の地震エネルギーの吸収装置。
【請求項３】
各取付部は取付リングであることを特徴とする請求項２に記載の地震エネルギーの吸収装置。
【請求項４】
取付軸は該取付軸が設けられる各取付部に複数本ずつ設けられ、
各クッション部材の中心部に形成される前記貫通孔は、前記複数本の取付軸と同数形成されることを特徴とする請求項１に記載の地震エネルギーの吸収装置。
【請求項５】
各取付部は各取付軸の前記一端に形成され、かつ該取付軸の軸方向に対し垂直な方向に沿って形成されたプレートであることを特徴とする請求項４に記載の地震エネルギーの吸収装置。
【請求項６】
各取付部には、該取付部に対し該取付部に設けられる取付軸が配置されている側とは反対側に、該取付部であるプレートに対し垂直な取付プレートが一対ずつ設けられることを特徴とする請求項５に記載の地震エネルギーの吸収装置。
【請求項７】
各取付部は、該取付部に設けられる取付軸の軸方向に対し垂直な方向に沿って形成された平面状の取付部であり、
該取付軸の前記両側に夫々設けられる緩衝ブロックのうち前記一端側に設けられる緩衝ブロックと、取付部との間には位置決めプレートが設けられ、該位置決めプレートは、該取付部と連結することを特徴とする請求項１〜６のいずれか１項に記載の地震エネルギーの吸収装置。
【発明の詳細な説明】
【技術分野】
【０００１】
本発明は、特に建築物に設置することにより、地震エネルギーを吸収する地震エネルギーの吸収装置に関するものである。
【背景技術】
【０００２】
地震を発生する際、地震により発生したエネルギーを建築物に伝送するので、地震をよく発生する地域における建築物に、防振手段の設置は必要としている。従来の防振手段は、建築物と地表の間に地震エネルギーの吸収装置が設けられることである。
【０００３】
従来の地震エネルギーの吸収装置は、例えば台湾実用新案公告第５６６４４９号「地震エネルギーの吸収装置」は、上下に平行する安定部材を有し、該安定部材の両側に固定部材が設けられ、該固定部材と安定部材との間にクッション部材が設けられる。
【特許文献１】台湾実用新案公告第５６６４４９号
【発明の開示】
【発明が解決しようとする課題】
【０００４】
しかしながら、前記従来の地震エネルギーの吸収装置におけるクッション部材は、夫々固定部材と安定部材と結合する必要があるので、製造が非常に面倒であるという問題を有する。
【０００５】
そこで、出願されたのが本発明であって、簡単に製造できる地震エネルギーの吸収装置を提供することを目的としている。
【課題を解決するための手段】
【０００６】
本願の請求項１の発明は、
二つの取付部と、
各取付部に一端が設けられる取付軸であってその他端が自由端である取付軸と、
中心部と、該中心部から単一方向又は複数の方向へ延伸する延伸プレートを有し、該中心部に取付軸を設置するための貫通孔が形成された複数のクッション部材と、
該延伸プレートの端末の両側に夫々設けられる複数のクッション部材を連結するＬ字形固定プレートである安定部材と、を備え、
各取付軸には、互いに隣り合うクッション部材の間に配置される緩衝ブロックと、取付軸の両側に夫々配置される緩衝ブロックとが設けられ、
前記互いに隣り合うクッション部材の間に配置される緩衝ブロック、および各取付軸の前記両側に夫々設けられる緩衝ブロックのうち前記一端側に設けられる緩衝ブロックには、夫々、ねじ孔ではない該取付軸を挿通する貫通孔が形成されており、
各取付軸の自由端にねじ山が形成され、該取付軸の前記両側に夫々設けられる緩衝ブロックのうち前記自由端側に設けられ且つ該ねじ山に対応する緩衝ブロックに、ねじ孔が形成されることにより、該緩衝ブロックが該取付軸に螺設され、
各クッション部材の延伸プレートの端末に係合孔が形成され、該端末の両側に設けられた安定部材に該クッション部材の係合孔に対応する係合孔が夫々形成され、該各安定部材の係合孔と前記延伸プレートの係合孔に係合部材が挿設されることを特徴とする地震エネルギーの吸収装置及び、
本願の請求項２の発明は、取付軸は該取付軸が設けられる各取付部に一本ずつ設けられ、各クッション部材の中心部に形成される前記貫通孔は、前記一本の取付軸に対応して該中心部の中央に１つ設けられていることを特徴とする請求項１に記載の地震エネルギーの吸収装置及び、
本願の請求項３の発明は、各取付部は取付リングであることを特徴とする請求項２に記載の地震エネルギーの吸収装置及び、
本願の請求項４の発明は、取付軸は該取付軸が設けられる各取付部に複数本ずつ設けられ、
各クッション部材の中心部に形成される前記貫通孔は、前記複数本の取付軸と同数形成されることを特徴とする請求項１に記載の地震エネルギーの吸収装置及び、
本願の請求項５の発明は、各取付部は各取付軸の前記一端に形成され、かつ該取付軸の軸方向に対し垂直な方向に沿って形成されたプレートであることを特徴とする請求項４に記載の地震エネルギーの吸収装置及び、
本願の請求項６の発明は、各取付部には、該取付部に対し該取付部に設けられる取付軸が配置されている側とは反対側に、該取付部であるプレートに対し垂直な取付プレートが一対ずつ設けられることを特徴とする請求項５に記載の地震エネルギーの吸収装置及び、
本願の請求項７の発明は、各取付部は、該取付部に設けられる取付軸の軸方向に対し垂直な方向に沿って形成された平面状の取付部であり、
該取付軸の前記両側に夫々設けられる緩衝ブロックのうち前記一端側に設けられる緩衝ブロックと、取付部との間には位置決めプレートが設けられ、該位置決めプレートは、該取付部と連結することを特徴とする請求項１〜６のいずれか１項に記載の地震エネルギーの吸収装置、を提供する。
【発明の効果】
【０００７】
本発明は上記の課題を解決するものであり、各クッション部材の間に緩衝ブロックが設けられることにより、各クッション部材を精確に位置決めることができ、取付も非常に簡単である。
【発明を実施するための最良の形態】
【０００８】
以下、添付図面を参照して本発明の好適な実施の形態を詳細に説明する。
【０００９】
図１は本発明に係る地震エネルギーの吸収装置小型の第１実施例を示す斜視図であり、図２は本発明に係る地震エネルギーの吸収装置の第１実施例を示す分解斜視図であり、図３は本発明に係る地震エネルギーの吸収装置の第１実施例を示す断面図であり、図４は本発明に係る地震エネルギーの吸収装置の第２実施例を示す斜視図であり、図５は本発明に係る地震エネルギーの吸収装置の第２実施例を示す断面図であり、図６は本発明に係る地震エネルギーの吸収装置の側面図であり、図７は本発明に係る地震エネルギーの吸収装置の使用状態を示す断面図であり、図８は本発明に係る地震エネルギーの吸収装置の第３実施例を示す斜視図であり、図９は本発明に係る地震エネルギーの吸収装置の第４実施例を示す斜視図であり、図１０は本発明に係る地震エネルギーの吸収装置の第５実施例を示す断面図であり、図１１は本発明に係る地震エネルギーの吸収装置の第６実施例を示す断面図である。
【００１０】
図１に示すように、本発明に係る地震エネルギーの吸収装置は、二つの取付部（１０）と、該取付部（１０）に設けられる取付軸（２０）と、複数のクッション部材（３０）と、複数の安定部材（４０）と、を備える。
【００１１】
図１、図８及び図９に示すように、前記取付部（１０）はプレート状又は取付リング（１００）であり、プレート状の場合、該プレートの両側に垂直の取付プレート（１１）が設けられることにより、建築物と結合する。
【００１２】
又、図２、図３及び図１０に示すように、前記取付軸（２０）は、一本又は複数本であり、その一端が前記取付部（１０）と一体形成に連結され、外側に該取付部（１０）と連結する複数の位置決めプレート（２１）が設けられ、他端の外側にねじ山が形成される。
【００１３】
図２及び図１１に示すように、前記クッション部材（３０）は、中心部（３１）と、該中心部（３１）から単一方向又は複数の方向へ延伸する延伸プレート（３２）を有し、該中心部（３１）に取付軸（２０）を設置するための貫通孔（３１１）が形成され、該クッション部材（３０）の間に複数の緩衝ブロック（３３）が設けられ、該取付軸（２０）の両側におけるクッション部材（３０）の両側に夫々緩衝ブロック（３４）（３４０）が設けられ、前記ねじ山を有する取付軸（２０）の一端に設けられる緩衝ブロック（３４０）の中央にねじ孔が形成され、該緩衝ブロック（３４）（３４０）、取付部（１０）及び取付軸（２０）の位置決めプレートにより、クッション部材（３０）と緩衝ブロック（３３）を位置決めすることができる。又、前記クッション部材（３０）の延伸プレート（３２）の端末に係合孔（３２１）が形成される。
【００１４】
前記安定部材（４０）は、クッション部材（３０）の延伸プレート（３２）の両側に設けられるＬ字形固定プレート（４１）であり、該Ｌ字形固定プレート（４１）にクッション部材（３０）の係合孔（３２１）に対応する係合孔（４１１）が形成され、該係合孔（３２１）（４１１）に係合部材（４１２）が挿入されることにより、安定部材（４０）とクッション部材（３０）を結合させる。又、該係合部材（４１２）は、ボルトとナットでもよく、係合ピンでもよい。
【００１５】
図４及び図５に示すように、前記Ｌ字形固定プレート（４１）の外側に外部プレート（４２）が設けられることにより、地震エネルギーを均一に吸収しながら緩衝する。
【００１６】
又図６及び図７に示すように、地震を発生する際、取付部（１０）と安定部材（４０）が夫々異なる方向からの力を受け、クッション部材（３０）の中心部（３１）が取付軸（２０）に固定され、延伸プレート（３２）の端末がＬ字形固定プレート（４１）に固定されるので、該クッション部材（３０）を変形することにより、地震エネルギーを吸収しながら緩衝する。
【産業上の利用可能性】
【００１７】
本発明は上記の構成を有するので、各クッション部材の間に緩衝ブロックが設けられることにより、各クッション部材を精確に位置決めることができ、取付も非常に簡単である。
【図面の簡単な説明】
【００１８】
【図１】本発明に係る地震エネルギーの吸収装置小型の第１実施例を示す斜視図である。
【図２】本発明に係る地震エネルギーの吸収装置の第１実施例を示す分解斜視図である。
【図３】本発明に係る地震エネルギーの吸収装置の第１実施例を示す断面図である。
【図４】本発明に係る地震エネルギーの吸収装置の第２実施例を示す斜視図である。
【図５】本発明に係る地震エネルギーの吸収装置の第２実施例を示す断面図である。
【図６】本発明に係る地震エネルギーの吸収装置の側面図である。
【図７】本発明に係る地震エネルギーの吸収装置の使用状態を示す断面図である。
【図８】本発明に係る地震エネルギーの吸収装置の第３実施例を示す斜視図である。
【図９】本発明に係る地震エネルギーの吸収装置の第４実施例を示す斜視図である。
【図１０】本発明に係る地震エネルギーの吸収装置の第５実施例を示す断面図である。
【図１１】本発明に係る地震エネルギーの吸収装置の第６実施例を示す断面図である。
【符号の説明】
【００１９】
１０        取付部
１００      取付リング
１１        取付プレート
２０        取付軸
２１        位置決めプレート
３０        クッション部材
３１        中心部
３１１      貫通孔
３２        延伸プレート
３２１      係合孔
３３        緩衝ブロック
３４        緩衝ブロック
３４０      緩衝ブロック
４０        安定部材
４１        Ｌ字形固定プレート
４１１      係合孔
４１２      係合部材
４２        外部プレート
【図１】
0004662825.tif 000002
【図２】
0004662825.tif 000003
【図３】
0004662825.tif 000004
【図４】
0004662825.tif 000005
【図５】
0004662825.tif 000006
【図６】
0004662825.tif 000007
【図７】
0004662825.tif 000008
【図８】
0004662825.tif 000009
【図９】
0004662825.tif 000010
【図１０】
0004662825.tif 000011
【図１１】
0004662825.tif 000012